(57)【要約】【課題】  注射器用針基または注射器を安全かつ確実に収納でき、かつ、収納されている注射器用針基または注射器の本数などを容易に把握することができる注射器用針基収納具および注射器収納具を提供する。【解決手段】  注射器用針基と注射器本体部分を分離して収納する分離型注射器の場合、注射器用針基を収納する注射器用針基ホルダー１０と収納容器２０とを備えている。注射器用針基ホルダー１０の上面が収納容器２０内において注射器用針基２１０を噛合保持する噛合保持面を提供する。注射針２１１の先端の外径より大きく注射器用針基の太軸外径２１２よりも小さい孔であって、注射針の先端方向から注射器用針基２１０の一部を噛合保持面１１の下部空間に導入する導入孔１３を備えた噛合保持部１２が複数個穿たれている。注射器用針基２１０を噛合保持部１２に噛合保持せしめて収納容器２０内に収納する。【選択図】図１
2009213681.tif 000002
【特許請求の範囲】
【請求項１】
注射器用針基と注射器本体部分を分離して収納する分離型注射器の前記注射器用針基を収納する注射器用針基ホルダーと、前記注射器用針基ホルダーを内部に収納する収納容器とを備えた注射器用針基収納具であって、
前記注射器用針基ホルダーの上面が前記収納容器内において前記注射器用針基を噛合保持する噛合保持面を提供し、
前記噛合保持面において、注射針の先端の外径より大きく前記注射器用針基の軸外径よりも小さい孔であって、前記注射器用針基の一部を前記噛合保持面の下部空間に導入する導入孔を備えた噛合保持部が複数個穿たれており、
前記注射器用針基を前記噛合保持部に噛合保持せしめて前記収納容器内に収納することを特徴とする注射器用針基収納具。
【請求項２】
前記噛合保持部が、前記導入孔から放射状に設けられた少なくとも１本の切れ込み線を備え、前記噛合保持部の前記導入孔に導入された前記注射器用針基が前記切れ込み線を形成している切れ込み片を下方に押し広げつつ前記噛合保持部に挟持され、前記切れ込み片が前記注射器用針基の上方への引き抜きに対するかえしとして機能することを特徴とする請求項１に記載の注射器用針基収納具。
【請求項３】
各々の前記噛合保持部の近隣に、噛合保持する前記注射器用針基の管理番号が表示され、収納する前記注射器用針基の数を管理しやすくしたことを特徴とする請求項１または２に記載の注射器用針基収納具。
【請求項４】
注射器用針基と注射器本体部分を分離せずに収納する一体型注射器を収納する注射器ホルダーと、前記注射器ホルダーを内部に収納する収納容器とを備えた注射器収納具であって、
前記注射器ホルダーの上面が前記収納容器内において前記注射器を噛合保持する噛合保持面を提供し、
前記噛合保持面において、注射針の先端の外径より大きく前記注射器の軸外径よりも小さい孔であって、前記注射器の一部を前記噛合保持面の下部空間に導入する導入孔を備えた噛合保持部が複数個穿たれており、
前記注射器を前記噛合保持部に噛合保持せしめて前記収納容器内に収納することを特徴とする注射器収納具。
【請求項５】
前記噛合保持部の前記導入孔がくさび型の孔であり、前記注射器を前記くさび型の導入孔を介して前記注射器を前記噛合保持面に対して斜めに挿入して噛合保持せしめる請求項４に記載の注射器収納具。
【請求項６】
各々の前記噛合保持部の近隣に、噛合保持する前記注射器の管理番号が表示され、収納する前記注射器の数を管理しやすくしたことを特徴とする請求項４または５に記載の注射器収納具。
【発明の詳細な説明】
【技術分野】
【０００１】
本発明は、注射器用針基と注射器本体部分を分離して収納する分離型注射器の注射器用針基を安全かつ確実に収納する注射器用針基収納具の技術分野に関する。また、注射器用針基と注射器本体部分を分離せずに収納する一体型注射器を収納する注射器収納具に関する。
【背景技術】
【０００２】
近年、糖尿病患者のインシュリン注射のように、日常生活を送りつつも治療のために注射を用いなければならない疾病を抱えている人が増えている。インシュリン注射などは毎日打つ必要があり、病院に毎日通って医療スタッフから注射をしてもらうことは困難であり、患者自らが注射することが多い。
【０００３】
注射針は危険であり、手指に誤って刺さることがあり、特に、他人が使用済みの注射針であれば、感染症にかかってしまうおそれもある。通常は、一本ごとに針の先端を密閉して注射針が剥き出しにならないようにするカートリッジが提供されており、注射針の先端を密閉した状態で取り扱っている。
【０００４】
注射針は、注射器用針基と注射器本体部分を分離して収納する分離型注射器であっても、注射器用針基と注射器本体部分を分離せずに収納する一体型注射器であっても、原則一度使用すると使い捨てにして毎回注射器用針基または注射器全体を交換する必要がある。そのため、糖尿病患者などは医療機関での受診の度に多数本の注射針を預かり管理しなければならない。一般ごみとして廃棄できないために医療ごみとして医療機関に手渡して廃棄してもらう必要がある。
【０００５】
従来は使用済み注射器用針基または注射器全体を単にまとめて保管しておき、医療機関に受診に訪れた際にまとめて渡すということが行われていた。
【０００６】
例えば、安全かつ確実に注射器用針基を外して箱内に回収するものとして特開２００５−１０２９３２号などが知られている。
【０００７】
【特許文献１】特開２００５−１０２９３２号公報
【発明の開示】
【発明が解決しようとする課題】
【０００８】
近年、注射器の管理が厳格化の方向にあり、医療機関側で漫然と回収するだけではなく患者に手渡した注射器のすべてが確実に回収されたか否かを管理することが求められている。
【０００９】
患者に手渡した注射器のすべてが確実に回収されたか否かを管理するためには、例えば、患者ごとに手渡した本数を記録し、次回受診時に患者が持参した注射器の本数を数え、手渡して注射器をすべて回収できたか管理する手間が必要となる。
【００１０】
特開２００５−１０２９３２号の注射針用廃棄容器は、注射器用針基を安全に注射器本体から引き抜いて使用済み注射器用針基を確実に回収するものとしては優れているが、医療機関側が、筐体内に回収された使用済み注射器用針基の本数を確実に知るためには、容器の蓋を開けて回収済み注射器用針基を取り出して数えなくてはならない手間は変わりなかった。
【００１１】
本発明は、上記従来の問題点に鑑み案出されたものであって、注射器用針基または注射器を安全かつ確実に収納でき、かつ、収納されている注射器用針基または注射器の本数などを容易に把握することができる注射器用針基収納具および注射器収納具を提供することを目的とする。
【課題を解決するための手段】
【００１２】
上記目的を達成するため、本発明の注射器用針基収納具は、
注射器用針基と注射器本体部分を分離して収納する分離型注射器の前記注射器用針基を収納する注射器用針基ホルダーと、前記注射器用針基ホルダーを内部に収納する収納容器とを備えた注射器用針基収納具であって、
前記注射器用針基ホルダーの上面が前記収納容器内において前記注射器用針基を噛合保持する噛合保持面を提供し、
前記噛合保持面において、注射針の先端の外径より大きく前記注射器用針基の軸外径よりも小さい孔であって、前記注射器用針基の一部を前記噛合保持面の下部空間に導入する導入孔を備えた噛合保持部が複数個穿たれており、
前記注射器用針基を前記噛合保持部に噛合保持せしめて前記収納容器内に収納することを特徴とする。
【００１３】
なお、上記構成において、前記噛合保持部が、前記導入孔から放射状に設けられた少なくとも１本の切れ込み線を備え、前記噛合保持部の前記導入孔に導入された前記注射器用針基が前記切れ込み線を形成している切れ込み片を下方に押し広げつつ前記噛合保持部に挟持され、前記切れ込み片が前記注射器用針基の上方への引き抜きに対するかえしとして機能することが好ましい。
【００１４】
上記構成により、噛合保持部に注射器用針基を安全確実に噛合させて収納することができ、本発明の注射器用針基収納具の中で注射器用針基が遊ぶことなくかつ中で振動等により不用意に引き抜けたりしにくい構造となっている。
【００１５】
次に、上記構成の注射器用針基収納具において、前記噛合保持部の一つ一つの近隣に、噛合保持する前記注射器用針基の管理番号が表示され、収納する前記注射器用針基の数を管理しやすくすることが好ましい。
【００１６】
上記構成により、患者および医療関係者が注射針の本数を一見して容易に把握することができ、数えたりする手間が省ける。また、患者も自宅内で注射器用針基の管理を確実にでき、その日に収納させるべき注射器用針基を収納したのか否かが直ぐに把握することができる。
【００１７】
次に、上記目的を達成するため、本発明の注射器収納具は、
注射器用針基と注射器本体部分を分離せずに収納する一体型注射器を収納する注射器ホルダーと、前記注射器ホルダーを内部に収納する収納容器とを備えた注射器収納具であって、
前記注射器ホルダーの上面が前記収納容器内において前記注射器を噛合保持する噛合保持面を提供し、
前記噛合保持面において、注射針の先端の外径より大きく前記注射器の軸外径よりも小さい孔であって、前記注射器の一部を前記噛合保持面の下部空間に導入する導入孔を備えた噛合保持部が複数個穿たれており、
前記注射器を前記噛合保持部に噛合保持せしめて前記収納容器内に収納することを特徴とする。
【００１８】
なお、上記構成において、前記噛合保持部の前記導入孔がくさび型の孔であり、前記注射器を前記くさび型の導入孔を介して前記注射器を前記噛合保持面に対して斜めに挿入して噛合保持せしめるものであることが好ましい。
【００１９】
上記構成により、噛合保持部に注射器を安全確実に収納することができ、本発明の注射器収納具の中で注射器が遊ぶことなくかつ中で振動等により不用意に引き抜けたりしにくい構造となっている。
【００２０】
次に、上記構成の注射器収納具において、各々の前記噛合保持部の近隣に、噛合保持する前記注射器の管理番号が表示され、収納する前記注射器の数を管理しやすくすることが好ましい。
【００２１】
上記構成により、患者および医療関係者が注射器の本数を一見して容易に把握することができ、数えたりする手間が省ける。また、患者も自宅内で注射器の管理を確実にでき、その日に収納させるべき注射器を収納したのか否かが直ぐに把握することができる。
【発明の効果】
【００２２】
本発明の注射器用針基収納具によれば、噛合保持部に注射器用針基を安全確実に収納することができ、本発明の注射器用針基収納具の中で注射器用針基が遊ぶことなくかつ中で振動等により不用意に引き抜けたりしにくい構造のものを提供することができる。
また、本発明の注射器用針基収納具によれば、患者および医療関係者が注射器用針基の本数を一見して容易に把握することができ、数えたりする手間が省ける。
また、本発明の注射器収納具によれば、噛合保持部に注射器を安全確実に噛合させて収納することができ、本発明の注射器収納具の中で注射器が遊ぶことなくかつ中で振動等により不用意に引き抜けたりしにくい構造のものを提供することができる。
また、本発明の注射器収納具によれば、患者および医療関係者が注射器の本数を一見して容易に把握することができ、数えたりする手間が省ける。
【発明を実施するための最良の形態】
【００２３】
以下、図面を参照しつつ、本発明の注射器用針基収納具および注射器収納具の実施形態を説明する。ただし、本発明の技術的範囲は以下の実施形態に示した具体的な用途や形状・寸法などには限定されない。
【実施例１】
【００２４】
実施例１として本発明の注射器用針基収納具１００の構成例を示す。実施例１の注射器用針基収納具１００は、注射器用針基２１０と注射器本体部分２２０を分離して収納する分離型注射器２００の注射器用針基２１０を収納する注射器用針基収納具１００である。
図１は、本発明の注射器用針基収納具１００の構成例を示す平面図、正面図、側面図、底面図、Ａ―Ａ断面図である。
図２は、収納容器２０の蓋を開けた様子を示している。
【００２５】
注射器用針基収納具１００は、注射器用針基ホルダー１０と収納容器２０を備えている。
注射器用針基ホルダー１０は、収納容器２０内にすっぽりと収納される形となっており、この例では注射器用針基ホルダー１０の水平方向の外形は収納容器２０の内形に収まる形となっている。
注射器用針基ホルダー１０は、その上面が収納容器２０内において注射器用針基２１０を噛合保持する噛合保持面１１を提供している。この例では噛合保持面１１は収納容器２０内で水平な面となっている。
【００２６】
噛合保持面１１には複数個の噛合保持部１２が穿たれている。
噛合保持部１２は導入孔１３が設けられている。導入部１３の径は、注射針２１１の先端の外径より大きく注射器用針基２１０の軸外径２１２よりも小さくなっている。
この導入孔１３に対して注射針２１１の先端方向から注射器用針基２１０を挿入して行けば、注射針２１１の先端部分は問題なく入るものの、注射器用針基２１０の軸外径２１２は通り抜けずに噛合し、注射器用針基２１０の一部が噛合保持面１１の下部空間に導入された状態で係止することとなる。
【００２７】
このように、実施例１の注射器用針基収納具１００は、噛合保持面１１の複数個の噛合保持部１２のそれぞれに注射器用針基２１０を保持せしめることにより、収納容器２０内に収納する。
なお、噛合保持面１１に対する注射器用針基２１０の挿入方向であるが、ほぼ垂直下方となっており、注射器用針基２１０の注射針の先端からほぼ垂直下方に対して噛合保持部１２に噛合させるものとなっている。
【００２８】
注射器用針基２１０を噛合保持面１１に確実に保持せしめるため、実施例１の噛合保持部１２では形状的な工夫が盛り込まれている。
【００２９】
図３（ａ）は噛合保持面１１の噛合保持部１２を拡大した図である。
噛合保持部１２は、導入孔１３から放射状に設けられた少なくとも１本の切れ込み線１４を備えている。この例では４本の切れ込み線１４が放射状に設けられている。
【００３０】
切れ込み線１４は、導入孔１３を小さくしつつ、導入孔１３周辺の切れ込み線１４を形成している切れ込み片を下方に押し広げつつ図３（ｂ）に示すように、挿入する注射器用針基２１０の外形に適宜合う形状に変化するようにする工夫である。注射器用針基２１０の外形と切れ込み線１４を形成している切れ込み片が噛み合い、切れ込み片が注射器用針基２１０の上方への引き抜きに対するいわゆる「かえし」として機能する。
「かえし」として機能することにより一度挿入して噛合保持部１２に噛合保持せしめた注射器用針基２１０が内部で容易に脱落することなく収納容器２０内に安定して収納することができる。
【００３１】
次に、管理番号の記載の工夫について説明する。
図４は、噛合保持部１２の近隣に、噛合保持する注射器用針基２１０の管理番号１５が表示され、収納する注射器用針基２１０の数を管理しやすくした例を示した図である。
【００３２】
図４（ａ）の例では単純に番号が振られているものである。例えば、図４（ｂ）の例では２０個ある噛合保持部１２のうち１７個の噛合保持部１２には注射器用針基２１０が収納されているが、残り３個の噛合保持部１２には注射器用針基２１０が収納されていない。今、２０個の注射器用針基２１０が患者に対して手渡されていたとすると３個の注射器用針基２１０が患者から回収できていないことが一目瞭然に分かる。
【００３３】
図５は、噛合保持部１２の近隣に、管理番号１５の代わりとして医療機関印を押す印鑑欄１６が設けられている例である。
注射器用針基収納具１００を用いる際、医療機関側で手渡す注射器用針基２１０の数と同じ数の噛合保持部１２が穿たれている注射器用針基ホルダー１０を常に用いることができるとは限らないので、回収すべき数を別途管理しなければならない。その数自体は医療機関側のコンピュータシステムで管理することとすれば良いが、患者側にとってまた医療機関側の窓口担当者にとって、この注射器用針基ホルダー１０に何個の注射器用針基２１０が噛合保持されればすべてを返却したことになるのか一目瞭然で把握できた方が便利である。そこで、医療機関側で注射器用針基収納具１００に注射器用針基２１０を噛合保持させて手渡す際に、噛合保持させている噛合保持部１２の近隣の印鑑欄１６に医療機関側の印鑑を押印する。このように押印することにより、患者に手渡された注射器用針基２１０の数が何個であって、返却時に噛合保持部１２に噛合保持されている注射器用針基２１０の数が何個であったのかが一目瞭然に分かるようになる。
【実施例２】
【００３４】
実施例２として本発明の注射器用針基収納具１００ａの構成例を示す。実施例２の注射器用針基収納具１００ａは、注射器用針基と注射器本体部分を分離せずに収納する一体型注射器３００を収納する注射器用針基収納具１００ａである。
【００３５】
図６は、本発明の注射器用針基収納具１００ａの構成例を示す平面図、正面図、側面図、底面図、Ｂ―Ｂ断面図である。
注射器用針基収納具１００ａは、実施例１と同様、注射器用針基ホルダー１０ａと収納容器２０ａを備えている。
注射器用針基ホルダー１０ａは、実施例１と同様、収納容器２０ａ内にすっぽりと収納される形となっており、その上面が収納容器２０ａ内において一体型注射器３００を噛合保持する噛合保持面１１ａを提供している。
【００３６】
噛合保持面１１ａには複数個の噛合保持部１２ａが穿たれており、その導入孔１３ａがくさび型の孔となっている。導入部１３ａのくさび型の大きさは、注射針３１１の先端の外径より大きく一体型注射器３００の本体の軸外径３１２よりも小さくなっている。
【００３７】
このくさび型の導入孔１３ａに対して注射針３１１の先端方向から一体型注射器３００の本体を挿入して行けば、注射針３１１の先端部分は問題なく入るものの、一体型注射器３００の本体の軸外径３１２はいわゆる寸胴形であるが噛合し、一体型注射器３００の一部が噛合保持面１１ａの下部空間に導入された状態で係止することとなる。
【００３８】
このように、実施例２の注射器用針基収納具１００ａは、噛合保持面１１ａの複数個の噛合保持部１２ａのそれぞれに一体型注射器３００を保持せしめることにより、収納容器２０ａ内に収納する。
一体型注射器３００を噛合保持面１１ａに確実に保持せしめるため、実施例２の噛合保持部１２ａでは形状的な工夫が盛り込まれている。
【００３９】
図７（ａ）は噛合保持面１１ａの噛合保持部１２ａを拡大した図である。
噛合保持部１２ａの導入孔１３ａはくさび型をしている。くさび型であるので、図７（ｂ）のように導入孔１３ａに対して一体型注射器３００を押し込んで行くと、くさび型の狭い先端方向を形成する２辺からくさび型の広い根元方向へ斜め下に押され、図８のように一体型注射器３００が斜めに噛合する状態で安定する。
つまり、噛合保持面１１ａに対する一体型注射器３００の挿入方向であるが、角度の小さな斜め下方となっており、ほぼ寝た状態で噛合保持部１２ａに噛合させるものとなっている。
【００４０】
なお、一体型注射器３００がくさび型の狭い先端方向を形成する２辺を下方に押し広げるので、その２片が一体型注射器３００の上方への引き抜きに対するいわゆる「かえし」として機能する。
「かえし」として機能することにより一度挿入して噛合保持部１２ａに噛合保持せしめた一体型注射器３００が内部で容易に脱落することなく収納容器２０ａ内に安定して収納することができる。
【００４１】
次に、管理番号の記載の工夫が可能であることは実施例１と同様である。例えば、１０個の一体型注射器３００を患者に手渡した場合に、図９の例では１０個の噛合保持部１２ａに対して８個の一体型注射器３００が納められているが、残り２個が足りないことが一目瞭然となる。
【００４２】
以上、本発明の注射器用針基収納具における好ましい実施例を図示して説明してきたが、本発明の技術的範囲を逸脱することなく種々の変更が可能であることは理解されるであろう。
【産業上の利用可能性】
【００４３】
本発明は、注射器用針基または注射器を安全かつ確実に収納でき、かつ、収納されている注射器用針基または注射器の本数などを容易に把握することができる注射器用針基収納具および注射器収納具に対して広く適用することができる。
【図面の簡単な説明】
【００４４】
【図１】本発明の注射器用針基収納具１００の構成例を示す平面図、正面図、側面図、底面図、Ａ―Ａ断面図
【図２】収納容器２０の蓋を開けた様子を示す図
【図３】噛合保持面１１の噛合保持部１２を拡大した図
【図４】噛合保持部１２の近隣に管理番号１５が表示された例を示す図
【図５】噛合保持部１２の近隣に印鑑欄１６が設けられている例を示す図
【図６】本発明の注射器用針基収納具１００ａの構成例を示す平面図、正面図、側面図、底面図、Ｂ―Ｂ断面図
【図７】噛合保持部１２ａに対して注射器３００を挿入する様子を示す図
【図８】噛合保持部１２ａに対して注射器３００を噛合保持させた様子を示す図
【図９】噛合保持部１２ａの近隣に管理番号１５が表示された例を示す図
【符号の説明】
【００４５】
１０  注射器用針基ホルダー
１１  噛合保持面
１２  噛合保持部
１３  導入孔
１４  切れ込み線
１５  管理番号
１６  印鑑欄
２０  収納容器
２０  注射器用針基収納具
２００  分離型注射器
２１０  注射器用針基
２１１  注射針
２１２  注射器用針基の太軸外径
２２０  注射器本体部分
３００  一体型注射器
３１０  注射器用針基
３１１  注射針
３１２  一体型注射器本体の太軸外径
【図１】
2009213681.tif 000003
【図２】
2009213681.tif 000004
【図３】
2009213681.tif 000005
【図４】
2009213681.tif 000006
【図５】
2009213681.tif 000007
【図６】
2009213681.tif 000008
【図７】
2009213681.tif 000009
【図８】
2009213681.tif 000010
【図９】
2009213681.tif 000011